(57)【要約】【課題】結線および組立作業性がよく内部電線の通線が容易で誤接続を防止することができる照明器具を提供する。【解決手段】器具本体２０内部に取り付けられる取付台５０には、両端部にコ字状の設置部５１が設けられているので、例えば、設置部５１の上面に電源線接続あるいは送り配線接続に用いる端子台５６ａ、５６ｂを取り付け、取付台５０の下部には点灯装置５７を配置することができる。このため、予め端子台５６ａ、５６ｂや点灯装置５７を取付台５０に取り付けるとともに内部配線を完了しておき、照明器具１０の組み立て時には、取付台５０を器具本体２０の内部に取り付ければよいので、組み立て作業性が向上する。また、取付台５０が上下２段に分かれているので、通線スペースを確保しやすくなる。【選択図】図３
2008277132.tif 000002
【特許請求の範囲】
【請求項１】
矩形箱状の器具本体を有する照明器具であって、
前記器具本体の内部に、両端部にコ字状の設置部を備えた取付台を取り付けた照明器具。
【請求項２】
矩形箱状の器具本体を有する照明器具であって、
前記器具本体を長手方向に連結し、隣接する器具本体の一方の端部から高電圧電線と低電圧電線を出し、他方の器具本体の内部に端部から順に高電圧用端子台および低電圧用端子台を配置し、前記高電圧用電線の長さを前記高電圧用端子台には届くが前記低電圧用端子台には届かない長さとするとともに、前記低電圧用電線の長さを前記高電圧用電線の長さよりも長くして前記低電圧用端子台に届く長さとした照明器具。
【発明の詳細な説明】
【技術分野】
【０００１】
本発明は、矩形箱状の器具本体を有する照明器具に関するものである。
【背景技術】
【０００２】
図７（Ａ）〜（Ｃ）に示すように、従来の照明器具１００では、器具本体１０１の内部に点灯装置１０２や端子台１０３が取り付けられている。そして、これら点灯装置１０２等に故障が生じた場合には、交換部品である点灯装置１０２等を取り外す作業を廃止することにより補修作業の簡素化を図るために、これらの点灯装置１０２等を器具本体１０１に取り付けたまま、図７（Ｄ）に示すように、補修用点灯装置１０４が取り付けられている補修部品板１０５を、器具本体１０１に取り付けることが行われている（例えば特許文献１参照）。
【０００３】
また、図８（Ａ）に示すように、矩形箱状の器具本体１０１を連結して使用する場合には、図８（Ｂ）に示すように、隣接する両器具本体１０１のエンドプレートを貫通して両端子台１０３同士を接続している。このような場合で、例えば電源電線と調光信号線等の電圧が異なる２回路を配線する場合には、図９に示すように、コネクタ１０６ａ、１０６ｂの形状を変えて誤接続を防止している。
【特許文献１】特開２００４−３１１３７４号公報（第５−７頁、第１図）
【発明の開示】
【発明が解決しようとする課題】
【０００４】
しかしながら、前述したように、交換する点灯装置１０２等を取り外さずに、補修用点灯装置１０４等が取り付けられている補修部品板１０５を取り付ける場合には、例えば新しい点灯装置を器具本体１０１に取り付けられている端子台１０３と接続しなおさねばならず、作業性が悪いという問題があった。
また、誤接続を防止するために、異なる形状のコネクタ１０６ａ、１０６ｂを用いた場合には、コネクタ１０６ａ、１０６ｂを通すために器具本体１０１の断面が大きくなったり、コネクタ１０６ａ、１０６ｂを用いることによりコストアップを招くという問題があった。
【０００５】
本発明は、従来の問題を解決するためになされたもので、安価な構成により結線および組立作業性がよく内部電線の通線が容易で誤接続を防止することができる照明器具を提供することを目的とする。
【課題を解決するための手段】
【０００６】
本発明の照明器具は、矩形箱状の器具本体を有する照明器具であって、前記器具本体の内部に、両端部にコ字状の設置部を備えた取付台を取り付けた構成を有している。
【０００７】
この構成により、器具本体内部に取り付けられる取付台には、両端部にコ字状の設置部が設けられているので、例えば、設置部の上面に電源線接続あるいは送り配線接続に用いる端子台を取り付け、取付台の下部には点灯装置を配置することができる。このため、予め端子台や点灯装置を取付台に取り付けるとともに内部配線を完了しておき、照明器具の組み立て時や補修には、取付台ごと器具本体の内部に取り付ければよいので、組み立て作業性が向上する。また、取付台が上下２段に分かれているので、通線スペースを確保しやすくなる。
【０００８】
また、本発明の照明器具は、矩形箱状の器具本体を有する照明器具であって、前記器具本体を長手方向に連結し、隣接する器具本体の一方の端部から高電圧電線と低電圧電線を出し、他方の器具本体の内部に端部から順に高電圧用端子台および低電圧用端子台を配置し、前記高電圧用電線の長さを前記高電圧用端子台には届くが前記低電圧用端子台には届かない長さとするとともに、前記低電圧用電線の長さを前記高電圧用電線の長さよりも長くして前記低電圧用端子台に届く長さとした構成を有している。
【０００９】
この構成により、隣接する照明器具を連結して使用する際に、器具本体内部の連結側端部から順に高電圧用端子台および低電圧用端子台を配置し、隣接する器具本体の連結側端部からの高電圧電線と低電圧電線を出して、それぞれ対応する端子に接続する。その際、高電圧電線の長さを、高電圧用端子台には届くが低電圧用端子台には届かないような長さとするので、安価な構成により高電圧電線を低電圧用端子台に接続する誤接続を防止することができる。
【発明の効果】
【００１０】
本発明は、器具本体内部に取り付けられる取付台には、両端部にコ字状の設置部が設けられているので、予め端子台や点灯装置を取付台に取り付けるとともに内部配線を完了しておけば、照明器具の組み立て時や補修時には、取付台を器具本体の内部に取り付ければよいので、組み立て作業性が向上する。また、取付台が上下２段に分かれているので、通線スペースを確保しやすくなるという効果を有する照明器具を提供することができるものである。
【発明を実施するための最良の形態】
【００１１】
以下、本発明の実施の形態の照明器具について、図面を用いて説明する。
図１は本発明の第１の実施の形態にかかる照明器具を下方から見た斜視図、図２は照明器具の断面図、図３は取付台の斜視図である。
【００１２】
図１に示すように、本発明の第１の実施形態にかかる照明器具１０Ａは、器具本体２０を吊具１１により天井１２から吊り下げられて使用する。器具本体２０は例えば矩形箱状の部材であり、少なくとも器具本体２０の前後両端部には、下方両外側に向かって脚２１が突出して設けられている。図２に示すように、脚２１は、下方両外側に傾斜した矩形箱状の一対の支持部２１ａ、２１ａと、各支持部２１ａの先端に設けられた三角形状の収容部２１ｂを有しており、各収容部２１ｂの底面は水平に形成されている。また、外観を向上させるために、脚２１の端面は器具本体２０の端面に設けられているエンドプレート２７（図１参照）と同一面に位置するように設けるのが望ましい。
【００１３】
脚２１の収容部２１ｂには、第１の光源である蛍光灯２３の両端部を保持するとともに電源と導通させるためのソケット２４が取り付けられており、蛍光灯２３が器具本体２０に沿って交換可能に取り付けられている。収容部２１ｂにおける蛍光灯２３の外側には、反射板２６が蛍光灯２３に沿って設けられており、蛍光灯２３から照射される光を下方へ反射するようになっている。
【００１４】
また、脚２１における蛍光灯２３の照射方向前方（図２において下方）には、プレート部３０が交換可能に設けられている。プレート部３０として、例えば、光を透過させない不透過材や、所定間隔で板材を取り付け主に下方に光を照射するルーバーや、金属板に所望の穴や形状を打ち抜いたパンチングメタル等を取り付けることができる。従って、例えば、間接照明が必要な場合には不透過材を取り付け、下方への照度が必要な場合にはルーバーを取り付け、あるいは輝度を落としつつ明るさが必要な場合にはパンチングメタルを取り付けること等を選択するができ、配光形状を選択することができる。
【００１５】
図１および図２に示すように、器具本体２０の下面には配線ダクト４０が設けられており、この配線ダクト４０には第２の光源であるスポットライト４１が移動可能かつ回転可能に設けられている。すなわち、配線ダクト４０は下面の中央部が長手方向に沿って開口した断面Ｃ字形状の柱状部材であり、内部には移動するスポットライト４１に電源を供給するために一対の端子４０ａを長手方向に沿って有している。このようにスポットライト４１を設けることにより、間接照明だが下方への光束を得たり、任意の方向を照射したりすることで、配光形状の選択幅を広げることができる。
【００１６】
図２に示すように、器具本体２０の内部には、取付台５０が収容されて脚２１に取り付けられている。図３に示すように、取付台５０は器具本体２０の内部に収容される大きさの断面を有する全体矩形状の細長い部材であり、底板５２は全長にわたって設けられている。取付台５０の両端部には、断面コ字状の設置部５１が設けられている。従って、設置部５１では、底板５２と天板５３との２階構造となっている。両設置部５１、５１は、断面Ｌ字形状の連結部５４によって連結されている。
【００１７】
図３に示すように、設置部５１の天板５３上には、電源線５５ａが接続される高電圧用端子台５６ａおよび調光信号線５５ｂが接続される低電圧用端子台５６ｂが取り付けられている。また、連結部５４における底板５２上には、点灯装置５７が取り付けられており、配線５７ａによって高電圧用端子台５６ａと接続され、配線５７ｂによって低電圧用端子台５６ｂと接続されている。また、点灯装置５７は、配線５８ａ、５８ｂによって両ソケット２４，２４に接続されている。
【００１８】
以上、説明した本発明にかかる照明器具１０Ａによれば、器具本体２０内部に取り付けられる取付台５０には、両端部にコ字状の設置部５１、５１が設けられているので、例えば、設置部５１の天板５３上面に電源線５５ａを接続する高電圧用端子台５６ａあるいは調光信号線５５ｂを接続する低電圧用端子台５６ｂを取り付け、取付台５０の底板５２には点灯装置５７を配置することができる。このため、予め端子台５６ａ、５６ｂや点灯装置５７を取付台５０に取り付けるとともに内部配線５７ａ、５７ｂを完了しておき、照明器具１０Ａの組み立て時には、取付台５０を器具本体２０の内部に取り付ければよいので、組み立て作業性が向上する。
【００１９】
また、取付台５０が上下２段に分かれているので通線スペースを確保しやすくなり、例えば天板５３上に電源線５５ａを配線し、底板５２に調光信号線５５ｂを配線して、区別することができる。これにより、誤配線を防止することができる。また、電源線５５ａと調光信号線５５ｂとを隔離して、雑音性能を向上させることができる。また、両側の高電圧用端子台５６ａ、５６ａを配線５８ｃ（図３参照）で接続し、両側の低電圧用端子台５６ｂ、５６ｂを配線５８ｄで接続して電源線５５ａおよび調光信号線５５ｂの送り配線を行う場合も、配線の混在を防止することができる。
【００２０】
また、高電圧用端子台５６ａを器具本体２０の端部付近に設けることができるので、外部電源線５５ａの結線が容易になり、施工性が改善される。
【００２１】
さらに、器具本体２０の下面を取付台５０が覆うため、点灯装置５７等の取り付けねじ等を隠すことができ、外観が向上する。
【００２２】
次に、本発明の第２の実施の形態の照明器具について、図面を用いて説明する。
図４は本発明の第２の実施の形態にかかる照明器具１０Ｂを下方から見た斜視図、図５は器具本体の連結部の斜視図、図６（Ａ）および（Ｂ）は連結する照明器具同士の配線を示す平面図である。なお、前述した第１の実施の形態にかかる照明器具１０Ａと共通する部位には同じ符号を付して、重複する説明を省略することとする。
【００２３】
図４に示すように、本発明の第２の実施の形態にかかる照明器具１０Ｂでは、例えば照明器具１０Ａを長手方向に連結して使用される。なお、ここでは、前述した照明器具１０Ａを連結して使用する場合について説明するが、この照明器具１０Ａに限るものではなく、矩形箱状の器具本体を有する照明器具について適用可能である。
【００２４】
図４および図５に示すように、隣接する第１の照明器具１０Ａｆと第２の照明器具１０Ａｓとは、器具本体２０のエンドプレート２７が互いに接触あるいは近接して位置しており、エンドプレート２７には配線用の切欠き２７ａが設けられている。上流側の照明器具１０Ａｆの器具本体２０ｆ内には、図３に示したように、電源線５５ａが接続される一対の高電圧用端子台５６ａｆと、調光信号線５５ｂが接続される一対の低電圧用端子台５６ｂｆが取り付けられている。なお、以下の文章において上流側の端子台５６ａｆ、５６ｂｆとは、図３中右側の送り配線用の端子台５６ａ、５６ｂを意味するものとする。
【００２５】
また、下流側の照明器具１０Ａｓの器具本体２０ｓ内には、電源線５５ａが接続される高電圧用端子台５６ａｓと、調光信号線５５ｂが接続される低電圧用端子台５６ｂｓが取り付けられており、高電圧用端子台５６ａｓを上流側に配置するとともに、低電圧用端子台５６ｂｓを下流側に配置している。すなわち、高電圧用端子台５６ａｓはエンドプレート２７に近く、低電圧用端子台５６ｂｓはエンドプレート２７から遠い位置に配置されている。なお、結線作業のため、高電圧用端子台５６ａｓと低電圧用端子台５６ｂｓとの間は、５０ｍｍ程度離すのが望ましい。
【００２６】
また、上流側の高電圧用端子台５６ａｆと下流側の高電圧用端子台５６ａｓとを接続する高電圧電線５９ａの長さは、下流側の高電圧用端子台５６ａｓには届くが、下流側の低電圧用端子台５６ｂｓには届かない長さに設定されている。一方、低電圧用電線５９ｂの長さは、高電圧用電線５９ａの長さよりも長くして低電圧用端子台５６ｂｓに届く長さに設定されている。
【００２７】
なお、図６（Ｂ）に示すように、高電圧用端子台５６ａと低電圧用端子台５６ｂを並列して配置する場合でも、下流側の器具本体２０ｓ内においては、高電圧用端子台５６ａｓを上流側に配置し、低電圧用端子台５６ｂｓを下流側にずらして配置する。そして、高電圧電線５９ａの長さは、下流側の高電圧用端子台５６ａｓには届くが、下流側の低電圧用端子台５６ｂｓには届かない長さに設定する。
【００２８】
以上、説明した第２の実施の形態にかかる照明器具１０Ｂでは、隣接する照明器具１０Ａ、１０Ａを連結して使用する際に、器具本体２０内部の連結側端部から順に高電圧用端子台５６ａｓおよび低電圧用端子台５６ｂｓを配置し、高電圧電線５９ａの長さを、高電圧用端子台５６ａｓには届くが低電圧用端子台５６ｂｓには届かないような長さに設定した。このため、高電圧電線５９ａを低電圧用端子台５６ｂｓに接続する誤接続を防止することができる。万が一、誤って低電圧電線５９ｂを高電圧用端子台５６ａｓに接続した場合には、高電圧電線５９ａを接続するものがなくなっているので、容易に誤接続であることがわかる。この場合に、低電圧電線５９ｂから高電圧用端子台５６ａｓに低電圧が供給されても、機器の破損や、過熱等の不具合は生じない。
【００２９】
なお、本発明の照明器具は、前述した各実施形態に限定されるものでなく、適宜な変形，改良等が可能である。
例えば、第２の実施の形態において、２つの照明器具１０Ａ、１０Ａを連結した場合について説明したが、３つ以上の照明器具を連結する場合にも、同様に適用することができる。
【産業上の利用可能性】
【００３０】
以上のように、本発明にかかる照明器具は、器具本体内部に取り付けられる取付台には、両端部にコ字状の設置部が設けられているので、予め端子台や点灯装置を取付台に取り付けるとともに内部配線を完了しておけば、照明器具の組み立て時には、取付台を器具本体の内部に取り付ければよいので、組み立て作業性が向上する。また、取付台が上下２段に分かれているので、通線スペースを確保しやすくなるという効果を有し、矩形箱状の器具本体を有する照明器具等として有用である。
【図面の簡単な説明】
【００３１】
【図１】本発明の第１の実施の形態にかかる照明器具を下方から見た斜視図
【図２】照明器具の断面図
【図３】取付台の斜視図
【図４】本発明の第２の実施の形態にかかる照明器具を下方から見た斜視図
【図５】器具本体の連結部の斜視図
【図６】（Ａ）および（Ｂ）は連結する照明器具同士の配線を示す平面図
【図７】（Ａ）〜（Ｄ）は従来の照明器具を示す斜視図、断面図等
【図８】（Ａ）および（Ｂ）は従来の照明器具を連結して使用する状態を示す斜視図等
【図９】連結する照明器具の従来の配線を示す平面図
【符号の説明】
【００３２】
１０Ａ，１０Ｂ  照明器具
２０  器具本体
５０  取付台
５１  設置部
５６ａ  高電圧用端子台
５６ｂ  低電圧用端子台
５９ａ  高電圧電線
５９ｂ  低電圧電線
【図１】
2008277132.tif 000003
【図２】
2008277132.tif 000004
【図３】
2008277132.tif 000005
【図４】
2008277132.tif 000006
【図５】
2008277132.tif 000007
【図６】
2008277132.tif 000008
【図７】
2008277132.tif 000009
【図８】
2008277132.tif 000010
【図９】
2008277132.tif 000011